(57)【要約】【課題】従来のバックルは、ベルト縫着側が浮き上がり、ベルト押さえが弱く、ベルト締着の安定性に欠けるものであった。【解決手段】挿通口１、中間片３、ベルト縫着片４で分離配置した略目字状の本体８を形成し、挿通口１内に締着板５を遊動自在に配し、該締着板５の上板５１を中間片上に延長し、該延長端近傍の中間片３にベルト挿通孔６を設けると共に、端片７を裏側に押下げ、ベルト縫着片４にはベルトＢの基端部を巻装縫工し、ベルトＢの先端を裏面より締着板５に挿入して表面へ引き通し、さらにベルト挿通孔６へ挿入して、ベルトの重合縫着部Ｂ１下に余長部Ｂ２を重合収容する構造。【選択図】　　　　図３
2004105456.tif 000002
【特許請求の範囲】
【請求項１】
高所作業用の安全帯に用いるバックルにおいて、挿通口１、中間片３、ベルト縫着片４で分離配置した略目字状の本体８を形成し、挿通口１内に締着板５を遊動自在に配し、該締着板５の上板５１を中間片上に延長し、該延長端近傍の中間片３にベルト挿通孔６を設けると共に、端片７を裏側に押下げ、ベルト縫着片４にはベルトＢの基端部を巻装縫工し、ベルトＢの先端を裏面より締着板５に挿入して表面へ引き通し、さらにベルト挿通孔６へ挿入して、ベルトの重合縫着部Ｂ１下に余長部Ｂ２を重合収容する構成を特徴とする安全帯用バックル。
【発明の詳細な説明】
【０００１】
【発明の属する技術分野】
本願は建設工事現場等の高所で作業する際に、墜落を防止するため使用する高所作業用安全帯に関するものであり、特には腰部に巻装する胴締めベルトのバックルに関するものである。
【０００２】
【従来の技術】
以前より用いられている、高所作業用安全帯のバックルを図４に示すが、これは挿通口の裏面より表面側へベルト先端を通し、縫着部を覆って再度縫着口端辺際よりバックル本体の裏面へと挿通するものであった。縫着口裏面より出たベルト先端部は縫着された部分の上面へ重合して遊帯Ｙ内に挿通され、安全帯装着中の前腰部をすっきりと整えるものであった。
【０００３】
ところが、このバックル締着後の余長部がきちんと縫着口および遊帯Ｙ内に挿通されていないと、挿通口内での締着が十分に行われないものであった。
安全帯にとってバックルでのベルト締着は重要な要素であり、この締着が不用意に解かれると、いくらロープ部先端のフックで構築物との連結が確実になされていても墜落は免れないものである。
また確実に締着されていないと墜落時の引止めの際、衝撃でベルトより人体が抜ける恐れも考えられる。
バックル締着後の余長部が仮に縫着口に再挿通されず、遊帯Ｙで重合処理されていないとすると、図５のように、厚織で剛性の強いベルト余長部は挿通口表面側で直立する傾向があり、僅かな振動でも締着板が弛む方向へ移動する。
また、安全帯を使用する人の体型により、この余長部が思わぬ事故の原因となることも考えられる。
【０００４】
例えば、細身の人が装着した際に余長が普通より長く出た場合、遊帯処理を行うと、その長さは３０Ｃｍ近くになり、作業中に何かに挟まって、作業位置を移動する時に、移動が阻害され、急に後ろへ引かれることになる。
よって、高所の足場より踏み外すようなことも考えられる。
【０００５】
【発明が解決しようとする課題】
よって、本出願人が特開２００１−２３８７０５によって、上記した課題を解決すべく開示した安全帯用バックルがある。
その構成としては、締着部の手前で裏面側へ挿通して縫着部Ｂ１裏面に余長部Ｂ２を重合することにより余長端が表面へ出ないようにしたものである。
しかし、上記開示したバックルは、完璧なものではなく、改良の余地があった。つまり縫着口の外側に端片がなく、バックルが動き回り、装着した時にベルト縫着側が浮き上がり、ベルト押さえが弱いと共に、締着板の遊動範囲が広くベルト締着の安定性に欠けるものであった。
【０００６】
【課題を解決するための手段】
本願では以上の課題を解決すべく、縫着口の外側に端片を設け、その端片を裏側に押下げ、装着時の押さえ効果向上とすると共に、ベルト締着板を３層とし、締着板上板の幅を広く中間片上へ延長し、図３に示すように、ベルト締着板は、バックルの表側に出たベルト間に挟まれた状態となり、締着板の移動が制限され、ベルトの弛みが発生しないようにし、締着の安定性を図ったものである。
【０００７】
【実施例】
本願の実施例を詳記すると、
挿通口１、中間片３、ベルト縫着片４で分離配置した略目字状の本体を形成し、挿通口１内に締着板５を遊動自在に配し、該締着板５の上板５１を中間片上に延長し、該延長端近傍の中間片３にベルト挿通孔６を設けると共に、端片７を裏側に押下げ、ベルト縫着片４にはベルトＢの基端部を巻装縫工し、ベルトＢの先端を裏面より締着板５に挿入して表面へ引き通し、さらにベルト挿通孔６へ挿入して、ベルトの重合縫着部Ｂ１下に余長部Ｂ２を重合収容する構造である。
【０００８】
この締着板５は上中下３層構造で、締着板上板５１と中板５２と締着板下板５３で構成される。締着板上板５１の先端は本体挿通口１の端縁と当接して、ベルトＢの挟着を行い、後端は中間片３上へ延長したものである。
締着板中板５２は、本体８の板厚より厚くし、上板と下板にクリアランスを設け、締着板５をスムーズに移動可能としたものである。
締着板下板５３は、ベルト折返し口５４を有し、その先端縁はベルト締着状態に移動した際において、本体挿通口１端縁とほぼ同一面上に位置するものである。
よって、バックル裏面のベルト折返し口５４より進入し、締着板上板５１と本体挿通口１の両端縁で挟着され、ベルト挿通孔６へ再挿入されたベルトＢは略Ｚ字状に屈曲するものである。
つまり、折返し口５４端縁には常に腰部締着の腹圧が作用しており、この力が同体である締着板上板５１の端縁を本体挿通口１端縁へと押し付けるため、締着状態が維持されるものである。
また、締着板上板５１の後端は、中間片上まで延長されており、バックルに挿通してベルト表側に出たベルト間に挟まれた状態となり、締着板の移動が制限され、ベルトの弛みが起きないものである。
さらに、端片７によって、ベルト縫着部側が押さえ付けられ、ベルトに屈曲部を作り、ベルト摩擦効果によりベルトの弛みを防止する。
【０００９】
以上の構成の本願であるが、装着にあたっては裏面の締着板下板５３の折返し口５４よりベルト先端を挿入し、表面側へ引き出して締着板上板５１と本体挿通口１端縁間に挿通し、中間片３に設けたベルト挿通孔６へ挿入して、ベルトの重合縫着部Ｂ１下へと引き出すものである。
よって、ベルトの締着状態は、略Ｚ字状となり、ベルトの屈曲箇所が多く、ベルトの摩擦効果により弛みの起らないバックルである。
【００１０】
【発明の効果】
以上のように本願構成のバックルを採用することにより、ベルト先端部の余長部分がベルトの基端バックル縫着部Ｂ１の下へと収容され、余長端部が構築物等に接触して不用意に弛むとか、だらしない装着感を他人に与えるとかの課題が改善されるものである。
また、締着板後端際にベルト挿通孔を設けたことや端片を裏側に押出すことにより、ベルトの屈曲箇所が多く、ベルト摩擦効果により、より弛みが発生しないものである。
また、ベルト締着板を延長し、バックルの表側に出たベルト間に挟まれた状態となり、締着板の移動が制限され、ベルトの弛みが発生しないものであると共に、幅広なので変形が起りにくく、引張強度向上となるものである。
このようにバックル締着の弛みを防止することにより、墜落発生時の引止め衝撃による、ベルトよりの人体の抜けを防止するものである。
【図面の簡単な説明】
【図１】本願バックルの正面図。
【図２】本願バックルの背面図。
【図３】本願のベルト挿通状態を示す断面図。
【図４】従来品のベルト挿通状態の斜視図。
【図５】従来品のベルト挿通状態の断面図。
【符号の説明】
１　挿通口
２　縫着口
３　中間片
４　ベルト縫着片
５　締着板
６　ベルト挿通孔
７　端辺
８　本体
５１　締着板上板
５２　締着板中板
５３　締着板下板
５４　折返し口
Ｂ　ベルト
Ｂ１　縫着部
Ｂ２　余長部
Ｙ　遊帯
【図１】
2004105456.tif 000003
【図２】
2004105456.tif 000004
【図３】
2004105456.tif 000005
【図４】
2004105456.tif 000006
【図５】
2004105456.tif 000007